(57)【要約】径方向且つ外方に向いて対向する２つの突起形状のハンドルを有する調理器具を把持し、持ち上げ、操作し、そして注ぐための取り外し可能な装置である。各突起は、内側縁と、該内側縁に実質的に平行する開口と、を有している。装置は、突起に嵌合するのに適しており断熱材で形成されている１対の取り外し可能なシェルから成る。各シェルは内側キャビティを提供している。該内側キャビティは、長円形オリフィスを介して横方向に広がって開放しており、該オリフィスを介して挿入されている突起を収容するのに適しており、且つ、内側ロック／ロック解除装置と係合している。該ロック／ロック解除装置は、内側キャビティに収容されたとき、突起の開口と協力するのに適している。
2004508081.tif 000002
【特許請求の範囲】
【請求項１】
径方向且つ外方に向いて対向する２つの突起形状のハンドルを有する調理器具を把持し、持ち上げ、操作し、そして注ぐための取り外し可能な装置であって、前記各突起は、内側縁と、前記内側縁に実質的に平行する開口と、を有しており、前記装置は、前記突起に嵌合するのに適しており断熱材で形成されている１対の取り外し可能なシェルから成り、前記各シェルは、内側キャビティを提供しており、前記内側キャビティは、長円形オリフィスを介して横方向に広がって開放しており、前記オリフィスを介して挿入されている前記突起を収容するのに適しており、且つ、内側ロック／ロック解除装置と係合しており、前記ロック／ロック解除装置は、前記内側キャビティに収容されたとき、前記突起の前記開口と協力するのに適していることを特徴とする装置。
【請求項２】
前記ロック／ロック解除装置はプレートから成り、前記プレートは揺動軸を中心に傾動するように取り付けられており、前記揺動軸は前記長円形オリフィスに平行に延びており、前記プレートは、対応する前記シェルの内側に形成されている隙間チャンバ内に収容されており、前記隙間チャンバは、前記プレートがロック位置とロック解除位置との間で傾動できるように形成されており、前記プレートの一端部は、突出している捕獲部を有しており、前記捕獲部は、前記プレートが前記ロック位置にあるとき、対応する前記シェルと係合する前記突起の前記開口内に収容されるのに適しており、前記プレートの他端部には使用者が接触できるようになっており、前記他端部は、前記プレートを前記ロック位置に向かって傾動させるような傾向にある弾性手段によって発生するトルクに抗して手動で前記他端部に圧力を掛けることによって前記捕獲部を後退させるために、前記使用者が前記プレートを前記ロック解除位置に傾動できるようにすることを特徴とする請求項１に記載の装置。
【請求項３】
前記プレート用の前記隙間チャンバは、前領域と後領域とから成り、前記前領域は前記キャビティの中間部の上方で開放されており、前記後領域は、前記プレートに実質的に直交して対応する前記シェルに形成されている通し穴に開放されており、前記プレートの前記他端部は熱源から離れており、前記後領域と係合し、前記他端部は、前記オリフィスを介して制御可能であり、前記シェルからは突出していないことを特徴とする請求項２に記載の装置。
【請求項４】
前記揺動軸は、前記突起を収容するための前記キャビティの後方に位置していることを特徴とする請求項３に記載の装置。
【請求項５】
前記隙間チャンバの前記前領域及び前記後領域は、前記揺動軸から離れる方向に延びており、互いに異なる方向に延びている表面によって画成されていることを特徴とする請求項４に記載の装置。
【請求項６】
前記弾性手段は、前記プレート及びハウジングの端壁に支持されているばねから成り、前記ハウジングは前記プレート用の前記隙間チャンバの前記前領域に開放されている請求項３乃至５のいずれかに記載の装置。
【請求項７】
前記プレートが前記ロック位置にあるとき、前記捕獲部は、前記長円形オリフィスの中間部内に配設されていることを特徴とする請求項２乃至６のいずれかに記載の装置。
【請求項８】
前記捕獲部の前面には、面取りされた面が形成されており、前記面は、前記シェルが前記突起の上の所定の位置に配置されている間、前記捕獲部を後退させることができることを特徴とする請求項２乃至６のいずれかに記載の装置。
【請求項９】
前記各シェルは、前記プレートの前記揺動軸を含んでいる接合面にて合わさる２つの部品から形成されていることを特徴とする請求項１乃至８のいずれかに記載の装置。
【発明の詳細な説明】
【０００１】
（技術分野）
本願開示は、径方向且つ外方に向いている突起状の対向する２つのハンドルを有する調理器具を把持し、持ち上げ、操作し、そして該調理器具から注ぐための取り外し可能な装置に関する。各突起は、内側縁と該内側縁に実質的に平行な開口とを有している。
【０００２】
（背景技術）
突起の開口は、棒状の取り外し可能なハンドルの２つの傾斜のある捕獲部と協力するようになっている。該ハンドルは、また、突起のリムと協力するフックを備えている。調理器具は、取り外し可能なハンドルを有するパンとして使用できる。他方の突起は機能を提供しない。
【０００３】
また、調理器具は、火或いはオーブンを使用して食材を料理するための２つのハンドルを有するポットとして使用できる。２つのハンドルは金属製であるために、熱くなった調理器具を素手で把持或いは持ち上げると重度の火傷を負うことになる。調理器具内に多量の食物が含まれている場合、ハンドルに掛かるトルクが、人が掛けるトルクの最大値よりも大きくなるために、熱い調理器具を持ち上げる取り外し可能なハンドルを使用することは危険である。
【０００４】
従って、火傷することなく、両手で両方の突起を把持できることは有効である。これは、断熱“オーブン”グローブを使用することで通常行われている。
【０００５】
フランス公報第２４１６６７７号は、調理器具を操作する目的で、断熱性を有する容易に取り外し可能なノブを備えている突起を提案している。この突起の幅の断面は、外方に向かって広くなっている。ノブは、該突起に対応する形状の溝を備えている。この溝及びそれに関連する突起の一部は、円弧状に延びており、好ましくは水平面内にある。ノブの溝と、該溝と協力する突起の一部とは、好ましくは、鳩尾状である。この公報において、ノブを突起にロックさせるような構成はない。そして、突起を取り外し可能なハンドルに係合するように使用することはできない。
【０００６】
本発明の目的は、熱い調理器具をその突起を介して把持或いは持ち上げる使用者の手を効果的に且つ安全に保護できる装置を提供することである。
【０００７】
（発明の開示）
本発明は、１対の取り外し可能なシェルから成る装置を提供することによって、目的を達成する。該シェルは、突起に嵌合するのに適しており、断熱材で形成されている。各シェルは内側キャビティを提供している。該内側キャビティは、長円形オリフィスを介して横方向に開放しており、オリフィスを介して挿入されている突起を収容するのに適しており、内側ロック／ロック解除装置と係合する。該内側ロック／ロック解除装置は、内側キャビティに収容されると、突起の開口と協力するのに適した形状である。
【０００８】
また、ロック／ロック解除装置はプレートから成り、該プレートは揺動軸を中心に傾動するように取り付けられている。該揺動軸は前記長円形オリフィスに平行に延びている。プレートは、対応する前記シェルの内側に形成されている隙間チャンバ内に収容されている。該隙間チャンバは、前記プレートがロック位置とロック解除位置との間で傾動できるように形成されている。プレートの一端部は、突出している捕獲部を有しており、該捕獲部は、プレートがロック位置にあるとき、対応するシェルと係合する突起の開口内に収容されるのに適している。プレートの他端部には使用者が接触でき、該他端部は、プレートをロック位置に向かって傾動させるような傾向にある弾性手段によって発生するトルクに抗して手動で他端部に圧力を掛けることによって捕獲部を後退させるために、使用者がプレートをロック解除位置に傾動できるようにしている。
【０００９】
好ましくは、プレート用の隙間チャンバは前領域と後領域とから成る。該前領域はキャビティの中間部の上方で開放されており、該後領域はプレートに実質的に直交して対応するシェルに形成されている通し穴に開放されている。プレートの他端部は熱源から離れており、後領域と係合する。他端部は、オリフィスを介して制御可能であり、シェルからは突出していない。
【００１０】
また、弾性手段は、プレート及びハウジングの端壁に支持されているばねから成り、該ハウジングはプレート用の隙間チャンバの前領域に開放されている。
【００１１】
好ましくは、プレートがロック位置にあるとき、捕獲部は、長円形オリフィスの中間部内に配設されている。捕獲部の前面には、面取りされた面が形成されており、該面は、シェルが突起の上の所定の位置に配置されている間、捕獲部を後退させることができる。
【００１２】
（発明を実施するための最良の形態）
本発明における上記以外の効果及び特徴を添付の図面を用いて以下で説明する。
【００１３】
図１及び図２は、ラグ（ｌｕｇ）２の形状を有する調理器具ハンドル、即ち、突起２の形状の調理器具ハンドルを示している。調理器具は、その周部４のみが示されている。該器具は、径方向に互いに対向する２つの突起２を有する。該２つの突起は類似している。突起２は、それぞれ、金属で形成されており、調理器具の側壁に固定されている内側縁６に実質的に平行な開口５を備えている。各突起２は、調理器具から外方に実質的に水平に延びており、内側縁６に実質的に平行する外側縁７を提供している。
【００１４】
２つの突起２で熱い調理器具を握り、持ち上げることを可能にするために、本発明は、断熱材で形成されている２つのシェル１０を提供している。該シェルは取り外し可能である。各シェルは、各突起２の上にて嵌合するのに適している。
【００１５】
各シェル１０は、突起２よりも水平方向への断面及び厚さが際だって大きい。各シェル１０の前側面１２において、内側キャビティ１１が長円形オリフィス１３を介して開放している。該前側面１２は、使用の際、突起２の内側縁６に向いている。突起２の上に嵌合されているシェル１０で調理器具を持ち上げている使用者の手を効果的に保護するために、内側キャビティ１１の寸法は、突起２が長円形オリフィス１３を介して内側キャビティ１１に挿入される際に、さほど大きな遊びを伴うことなく該キャビティ１１の内側にて最大限延びて収容されるように設定されている。同様に、開口５は、通常の使用位置において、キャビティ１１の内側に殆ど完全に収容されている。
【００１６】
シェル１０は２つの部品で形成されている。該２つの部品は、内側キャビティ１１を画成する上壁を含んでいる実質的に中間にある水平な接合面１４にて合わさっている。図５から分かるように、シェル１０は、キャビティ１１が形成されている下シェル１０ａと、上シェル１０ｂと、を組み合わせることによって、形成される。下シェルは、固定ねじが通過するための通し穴１５ａ、１５ｂを提供しており、これらのねじのねじ切り部分は、上シェル１０ｂに形成されたタッピング部分と協力する。
【００１７】
シェル１０は、その厚みの中に、ロック／ロック解除装置２０を備えている。この装置は、実質的に、剛性プレート２１から成る。該剛性プレート２１は、揺動ベアリングを構成するために剛性プレート２１から横方向に突出している端部２２ａ、２２ｂを有する横方向揺動軸２２に固定されている。
【００１８】
横方向揺動軸２２は、２つの半円筒溝２３ａ内に収容されている。該２つの半円筒溝は、シェル１０ａ、１０ｂ内で互いに向かい合い、接合面１４に開放されている。下シェル１０ａの半円筒溝２３ａのみが図５から確認できる。２つのシェル１０ａ、１０ｂが組み合わさったとき、２つの半円筒溝は、長円形オリフィス１３に平行する揺動軸２２のハウジングを構成する。ここで、“前方”及び“後方”を調理器具に向いている前側面１２に対して定義すると、図１及び図５から分かるように、溝２３ａはキャビティ１１の後方に配設される。
【００１９】
プレート２１は、その前端部にて、下方に曲がった捕獲部２４を有している。該捕獲部は、その前面に面取りされた面２５を提供している。捕獲部２４は、シェル１０が突起２上に嵌合するとき、突起２の開口５内に進入する。
【００２０】
プレート２１がその横方向揺動軸２２を中心に揺動できるようにするために、シェル１０の内側には隙間チャンバ２６が設けられており、プレート２１を収容する。
【００２１】
隙間チャンバ２６の前領域２６ａは上シェル１０ｂに形成されている。この前領域２６ａは、キャビティ１１の中間領域の上方にて、開放している。該前領域は、特に２つの壁によって画成されている。該２つの壁は揺動軸２２から離れるように、且つ、互いに異なる方向に延びている。該壁のうち、一方は下シェル１０ａの上面であり、他方の壁２７ｂは上シェル１０ｂに形成されている。
【００２２】
隙間チャンバの後領域２６ｂは、下シェル１０ａ及び上シェル１０ｂに形成されている。該後領域は接合面１４と下シェル１０ａに形成されている傾斜壁２７ａとによって画成されている。
【００２３】
２つのシェル１０ａ、１０ｂは、対向する通し穴２８ａ、２８ｂを有している。通し穴２８ａと通し穴２８ｂとは一直線上に設けられている。後領域２６ｂは通し穴２８ａ、２８ｂに開放している。プレート２１の後端部２９は通し穴２８ａ、２８ｂ内に収容されている。
【００２４】
上シェル１０ｂは、また、隙間チャンバの前領域２６ａに開放しているハウジング３０を有している。このハウジングの端壁は、圧縮コイルばね３１の一端部のベアリング面、即ち、支持面となっている。該圧縮コイルばね３１の他端部は、プレート２１の前部上面に支持されている。
【００２５】
圧縮コイルばね３１は、プレート２１をロック位置に向かって付勢する。このロック位置において、捕獲部２４は、突起２の開口５内に収容されている。このとき、突起自身はキャビティ１１内に収容されている。後端部２９は、使用者が親指を上シェル１０ａの上部穴２８ａ内に挿入することによってプレート２１の後端部２９を押すと、装置２０のロック状態を解除することができる制御部材を構成している。使用者の出す力は、圧縮コイルばね３１による力に打ち勝つ程の十分な力である。最初は接合面１４に平行していたプレート２１は軸２２と共に傾斜して傾斜壁２７ａ、２７ｂに当接する。次いで、捕獲部２４は、隙間チャンバ２６の前領域２６ａ内に後退する。このとき、２つのシェル１０の両方或いは片方に対して外方且つ半径方向へ小さな力を一度に掛けることによって、該２つのシェル１０を引き戻すことができる。
【００２６】
ロック位置にいるときでも熱源から最も遠い端部２９は、穴２８ａ、２８ｂの内側に位置しているので、動作する余地の多い使用者の手にとって端部２９が障害物になるようなことはない。そして、不適当な時にロック状態が解除するような危険は回避される。更に、子供がシェルを意図的に或いは不意にロック解除するような危険も回避される。
【００２７】
シェル１０は、反対の手順によって、所定の位置に配置される。親指によって下方に向いている力が端部２９に掛かることによって、捕獲部２４が隙間チャンバ２６の前領域２６ａ内に最初後退することが完全に可能となる。しかし、突起２の外側縁７を長円形オリフィス１３に挿入する前にプレート２１がロック位置にある場合、外側縁７は面２５と協力してプレート２１を傾斜させて、突起２がキャビティ１１内に挿入できるようにする。
【００２８】
シェル１０ａ、１０ｂは、熱硬化性絶縁材を成形することによって形成される。
【００２９】
シェル１０は組み立てが容易である。プレート２１を下シェル１０ａ上に置き、ばね３１を所定の位置に配置する。その後、組み合わさった下シェル１０ａとプレート２１とばね３１とを上シェル１０ｂで覆い、ねじを穴１５ａ、１５ｂに通すことによって２つのシェル１０ａ、１０ｂを互いに結合させる。
【００３０】
隙間チャンバ２６の前領域２６ａ及び後領域２６ｂは、揺動軸２２から離れるように広がっており、互いに異なる方向に延びている表面１４、２７ａ、２７ｂによって画成されている。
【００３１】
隙間チャンバ２６は、水平接合面１４と傾斜壁２７ａとから成り異なる方向に延びる表面によって前領域２６ａ内に画成されている。
【００３２】
同様に、隙間チャンバ２６は、水平接合面１４と傾斜壁２７ｂとから成り異なる方向に延びる表面によって後領域２６ｂ内に画成されている。
【図面の簡単な説明】
【図１】
調理器具の突起にロックされた状態にある本発明の装置のシェルを対称鉛直面で切ったときに得られる長手方向断面図
【図２】
図１のＩＩーＩＩ線による水平面で切ったときに得られる断面図
【図３】
ロック／ロック解除装置のプレートを対称鉛直面で切ったときに得られる長手方向断面図
【図４】
図３のプレートの平面図
【図５】
本発明の装置のシェルの分解図
【国際公開パンフレット】
2004508081.tif 000003
2004508081.tif 000004
2004508081.tif 000005
2004508081.tif 000006
2004508081.tif 000007
2004508081.tif 000008
2004508081.tif 000009
2004508081.tif 000010
2004508081.tif 000011
2004508081.tif 000012
2004508081.tif 000013
2004508081.tif 000014
2004508081.tif 000015
【国際調査報告】
2004508081.tif 000016
2004508081.tif 000017
2004508081.tif 000018
2004508081.tif 000019